(57)【要約】【課題】必要とされる沿面距離を確保するための端子台の厚さ寸法等を変更することなく、かつ全体の一層の低背化を図ることが可能になる巻線部品を提供する。【解決手段】コイル１３、１５が外周に巻回される筒状の巻線部２を有するボビン１と、ボビン１の巻線部２の両側から各々内部に挿入される中脚１０ｃを有する一対のコア１０とを備え、ボビン１は、実装面と対向する巻線部２の両端部の下部に、端子５が稙設された端子台４ａ、４ｂが一体に形成され、かつ巻線部２の中央部分の上面２ａに凹部７が形成されるとともに、コア１０の中脚１０ｃは、その先端部であって凹部７に対応する部分１０ｄが、下面２ａ側に位置するように屈曲形成されている。【選択図】図５
2015162619.tif 000002
【特許請求の範囲】
【請求項１】
コイルと、このコイルが外周に巻回される筒状の巻線部を有するボビンと、このボビンの端部に一体に形成されて上記コイルの端部が接続される端子が稙設された端子台と、上記ボビンの両側から各々内部に挿入される中脚を有する一対のコアとを備えた巻線部品において、
上記端子台は、上記ボビンの実装面と対向する下面側に配置され、かつ上記巻線部の中央部分が上記下面側に突出することにより上面に凹部が形成されるとともに、
上記コアの中脚は、その先端部であって上記凹部に対応する部分が、他の部分よりも上記下面側に位置するように屈曲形成されていることを特徴とする巻線部品。
【請求項２】
上記凹部内に第１のコイルが巻回されるとともに、当該第１のコイルの外周および上記巻線部の外周に、絶縁テープを介して第２のコイルが巻回されていることを特徴とする請求項１に記載の巻線部品。
【発明の詳細な説明】
【技術分野】
【０００１】
本発明は、ボビンの外周にコイルが巻回されるとともに当該ボビン内にコアが挿入されたトランス等の巻線部品に関するものである。
【背景技術】
【０００２】
図６は、従来のこの種の巻線部品を示すもので、この巻線部品は、筒状の巻線部３１を有するボビン３０と、このボビン３０の巻線部３１の外周に巻回されたコイル３２と、このコイル３２が巻回されたボビン３０の外周を囲繞して閉磁路を形成する一対のＥ型コア３３とから概略構成されたものである。
【０００３】
ここで、一対のＥ型コア３３は、互いの外脚３３ａをコイル３２に巻回された絶縁テープ３４の外周に沿って配置させるとともに、中脚３３ｂをボビン３０の内部に挿入させて配置されている。また、ボビン３０の巻線部３１の両端部であって実装面（図示を略す。）と対向する下面側には、コイル３２の端部が絡げられる複数本の端子３５が稙設された端子台３６が一体に形成されている。
【０００４】
このような巻線部品にあっては、安全規格上、Ｅ型コア３３とコイル３２との間に必要な沿面距離を確保する必要がある。このため、コイル３２の端部が接続される端子３５とＥ型コア３３との間の沿面距離を確保するために、当該端子３５が稙設される端子台３６の厚さ寸法ｔが大きくなり、部品の一層の低背化を図る上での制約となっていた。
【０００５】
そこで、Ｅ型コア３３の外脚３３ａおよび中脚３３ｂの厚さをより薄くして、全体の低背化を図ることも検討されているが、所定の特性を得るためのコア断面積を確保することが難しくなるとともに、Ｅ型コア３３として一般的なフェライトを用いる場合に、割れを生じやすい等の理由から粉末焼結によって厚さの薄い外脚３３ａおよび中脚３３ｂを成形することが難しいという問題点があった。
【０００６】
他方、下記特許文献１においては、コア自体の形状を変更して、低背化を図る構成が提案されているが、コアが分割化されるために、構造が複雑化して、製造コストの高騰化を招くという問題点があった。
【先行技術文献】
【特許文献】
【０００７】
【特許文献１】特開２００３−３３２１３７号公報
【発明の概要】
【発明が解決しようとする課題】
【０００８】
本発明は、上記事情に鑑みてなされたものであり、必要とされる沿面距離を確保するための端子台の厚さ寸法等を変更することなく、かつ全体の一層の低背化を図ることが可能になる巻線部品を提供することを課題とするものである。
【課題を解決するための手段】
【０００９】
上記課題を解決するため、請求項１に記載の発明は、  コイルと、このコイルが外周に巻回される筒状の巻線部を有するボビンと、このボビンの端部に一体に形成されて上記コイルの端部が接続される端子が稙設された端子台と、上記ボビンの両側から各々内部に挿入される中脚を有する一対のコアとを備えた巻線部品において、
上記端子台は、上記ボビンの実装面と対向する下面側に配置され、かつ上記巻線部の中央部分が上記下面側に突出することにより上面に凹部が形成されるとともに、
上記コアの中脚は、その先端部であって上記凹部に対応する部分が、他の部分よりも上記下面側に位置するように屈曲形成されていることを特徴とするものである。
【００１０】
また、請求項２に記載の発明は、請求項１に記載の発明において、上記凹部内に第１のコイルが巻回されるとともに、当該第１のコイルの外周および上記巻線部の外周に、絶縁テープを介して第２のコイルが巻回されていることを特徴とするものである。
【発明の効果】
【００１１】
請求項１または２に記載の発明においては、ボビンにおける巻線部の中央部分の上面に、凹部を形成しているために、この凹部内もコイルを巻回することにより、巻線部の上面側におけるコイルの高さ寸法を従来よりも低くすることができる。
【００１２】
一方、ボビンの巻線部に形成されている貫通孔の内部は、上記凹部に対応する部分が内方に突出した形状になっている。そこで、これに対応すべく、上記貫通孔内に挿入されるコアの中脚の先端部を、上記凹部の形状に合わせて下面側に屈曲形成しているために、上記中脚の厚さ寸法を変更する必要がない。
【００１３】
この結果、コアの厚さ寸法を変更することなく、しかも必要とされる沿面距離を確保するための端子台の厚さ寸法等を変更することなく、全体の一層の低背化を図ることが可能になる。
【００１４】
さらに、巻線部品の一種であるトランスにおいては、通常１次コイルと２次コイルとの間に安全規格上の沿面距離を確保するために、一方のコイルの全長にわたってその外周に絶縁テープを巻回し、当該絶縁テープの外周に他方のコイルを巻き回す構成が採用されている。
【００１５】
このため、請求項２に記載の発明のように、本発明に係る巻線部品をトランスに適用する場合に、上記凹部内に第１のコイルを巻回し、その外周と巻線部の他の部分の外周に絶縁テープを巻回し、さらにその外周に第２のコイルを巻回すれば、上記凹部およびその前後に位置する巻線部の外周面を絶縁テープを巻回する個所として利用することができる。
【図面の簡単な説明】
【００１６】
【図１】本発明の一実施形態を示す全体の斜視図である。
【図２】図１のボビン形状を示すもので、（ａ）は斜視図、（ｂ）は平面図、（ｃ）は（ｂ）のＸ線視断面図である。
【図３】図１のＥ型コアを示す斜視図である。
【図４】図３のＥ型コアの形状を示すもので、（ａ）は平面図、（ｂ）は一方のＥ型コアの正面図、（ｃ）は（ｂ）のＹ線視断面図である。
【図５】図２のボビンと図３のＥ型コアとの組み合わせた状態を示すもので、（ａ）は斜視図、（ｂ）は縦断面図である。
【図６】従来の巻線部品を示すもので、（ａ）は平面図、（ｂ）は（ａ）のＺ線視した縦断面図である。
【図７】上記一実施形態のトランスと従来のトランスとの高さ寸法の差異を示す正面図である。
【発明を実施するための形態】
【００１７】
図１〜図５は、本発明に係る巻線部品をトランスに適用した一実施形態を示すもので、図中符号１がボビンである。
このボビン１は、角筒状に形成された巻線部（第１の巻線部）２の両端部にフランジ部３が形成され、このフランジ部３に端子台４ａ、４ｂが一体に形成されたものである。ここで、端子台４ａ、４ｂは、このトランスの実装面（図示を略す。）と対向する下面２ａ側に突出するように形成されており、各端子台４ａ、４ｂの下面に、複数本（図では、巻線部２の一端部側の端子台４ａに２本、他端部側の端子台４ｂに４本）の端子５が稙設されている。
【００１８】
また、巻線部２の上面２ａには、軸線方向の中央部において当該巻線部２の貫通孔６内に突出する凹部（第２の巻線部）７が上記軸線と直交する方向に形成されている。他方、巻線部２の下面２ｂには、軸線方向の全長にわたって所定の幅寸法の溝部８が形成されるとともに、その中央部には溝部８と直交して周方向に延在する凹部（第２の巻線部）９が形成されている。
【００１９】
この凹部９は、巻線部２の周方向において凹部７と対応する位置に形成されており、巻線部２の下面２ｂから凹部９の底部までの深さ寸法が、上面２ａから凹部７の底部までの深さ寸法と等しくなるように形成されている。
【００２０】
これにより、貫通孔６内の底面は平坦に形成されるとともに、凹部９が形成された部分は、他の部分よりも薄肉に形成されている。さらに、後述するＥ型コア１０の中脚１０ｃが挿入するために、一方の端子台４ａの上面には案内溝１１が形成され、他方の端子台４ｂの上面には案内溝１２が形成されている。
【００２１】
ここで、一方の案内溝１１は、その底面が貫通孔６の底面と同一平面上に連続するように形成されるとともに、他方の案内溝１２は、上記中脚１０ｃを斜め上方から挿入可能となるように、上面側から貫通孔６の底面に向けて漸次下方に傾斜する傾斜面状に形成されている。
【００２２】
上記構成からなるボビン１の凹部（第２の巻線部）７に、第１のコイル（１次コイルまたは２次コイル）１３が巻回されている。そして、この第１のコイル１３の外周および巻線部２の上下面２ａ、２ｂにわたる外周の全長に絶縁テープ１４が巻回され、この絶縁テープ１４の外周に第２のコイル（２次コイルまたは１次コイル）１５が巻線部２の全長にわたって巻回されている。さらに、この第２のコイル１５の外周に、全長にわたって絶縁テープ１６が巻回されている。
【００２３】
そして、これら第１および第２のコイル１３、１５が巻回されたボビン１の外周を囲繞するようにして、一対のＥ型コア１０が対向配置されている。これらのＥ型コア１０は、背部１０ａの両端に外脚１０ｂが形成され、これら外脚１０ｂ間に中脚１０ｃが形成されたものである。そして、背部１０ａおよび外脚１０ｂは、対向配置されてボビン１の上方略１／２の外周を角筒状に囲繞する寸法に形成されている。
【００２４】
また、中脚１０ｃは、ボビン１の貫通孔６内に挿入されている。ここで、上記貫通孔６の内部は、凹部７を形成したことにより上面２ａ側の中央部が内方に突出して形成されている。このため、中脚１０ｃは、その先端部であって凹部７に対応する部分１０ｄが、他の部分よりも下面２ｂ側に位置するように屈曲形成されている。なお、図中符号１７は、両Ｅ型コイル１０の外周に巻回されたテープである。
【００２５】
ちなみに、ボビン１の両端部側から、それぞれ貫通孔６内にＥ型コア１０の中脚１０ｃを挿入する場合には、先ず一方のＥ型コア１０の中脚１０ｃを、端子台４ｂの案内溝１２の斜め上方から当該案内溝１２の傾斜面に沿って貫通孔６内に挿入し、最終的に背部１０ａを端子台４ｂの上面に載置する（図５（ｂ）参照）。次いで、他方のＥ型コア１０の中脚１０ｃを、端子台４ａの案内溝１１の底面に沿って水平に貫通孔６内に挿入し、互いの先端面を当接させる。これにより、中脚１０ｃの先端部を屈曲形成しても、貫通孔６内への挿入時に互いの先端面が干渉することを防止することができる。
【００２６】
以上の構成からなるトランスによれば、ボビン１における巻線部２の中央部分の上面２ａに凹部７を形成し、この凹部７内に第１のコイル１３を巻回するとともに、その外周と巻線部２の他の部分の外周に絶縁テープ１４を巻回し、その外周に第２のコイル１５を巻回しているために、図７に示すように、ボビン１の上部における高さを従来よりもＨ寸法低くすることができる。
【００２７】
また、ボビン１の巻線部２に形成されている貫通孔６の内部は、凹部７に対応する部分が内方に突出した形状になっていることから、これに対応すべく、貫通孔６内に挿入されるＥ型コア１０の中脚１０ｃの先端部１０ｄを、凹部７の形状に合わせて巻線部２の下面２ａ側に屈曲形成しているために、中脚１０ｃの厚さ寸法を変更する必要がない。
【００２８】
この結果、Ｅ型コア１０の厚さ寸法や、第２のコイル１５とＥ型コア１０との間の沿面距離を確保するための端子台４ａ、４ｂの厚さ寸法等を変更することなく、全体の一層の低背化を図ることが可能になる。
【００２９】
しかも、第１のコイル１３を巻回した凹部７、９およびその前後の巻線部２の外周面を、第１および第２のコイル１３、１５間の絶縁性を確保する絶縁テープ１４を巻回するための個所として利用することができる。
【符号の説明】
【００３０】
１  ボビン
２  巻線部
２ａ  上面
２ｂ  下面
４ａ、４ｂ  端子台
５  端子
７  凹部
１０  Ｅ型コア
１０ｃ、１０ｄ  中脚
１３  第１のコイル
１４、１６  絶縁テープ
１５  第２のコイル
【図１】
2015162619.tif 000003
【図２】
2015162619.tif 000004
【図３】
2015162619.tif 000005
【図４】
2015162619.tif 000006
【図５】
2015162619.tif 000007
【図６】
2015162619.tif 000008
【図７】
2015162619.tif 000009